(57)【要約】      （修正有）【課題】内部に収納した物を見やすく且つ取り出しやすくするとともに、部品点数や製造工数を低減して、安価に作製可能な収納具を提供する。【解決手段】シート状の基材を折り曲げて形成される収納具１であって、基材は、折り曲げられて対向させられる一対の本体部分１２ａ，１２ｂと、一対の本体部分１２ａ，１２ｂの両側に形成され、本体部分１２ａ，１２ｂの側辺同士をそれぞれ連結し、アコーディオン状に折り畳まれる略扇状の横マチ部１３，１３と、本体部分１２ａに延設され、一対の本体部分１２ａ，１２ｂが折り曲げられた状態において、他方の本体部分１２ｂに被される蓋体１１とを有する。【選択図】図３
0003196256.tif 000002
【実用新案登録請求の範囲】
【請求項１】
シート状の基材を折り曲げて形成される収納具であって、
前記基材は、
折り曲げられて対向させられる一対の本体部分と、
前記一対の本体部分の両側に形成され、前記本体部分の側辺同士をそれぞれ連結し、アコーディオン状に折り畳まれる略扇状の横マチ部と、
前記一対の本体部分のいずれか一方に延設され、前記一対の本体部分が折り曲げられた状態において、他方の本体部分に被される蓋体と
を有することを特徴とする収納具。
【請求項２】
前記一対の本体部の折曲部分の両側に位置され、前記横マチ部における扇形状の頂点部分と、対向配置される本体部分それぞれの側辺とが交わる箇所に、前記基材に開けられた一対の開口部をさらに有することを特徴とする請求項１に記載の収納具。
【請求項３】
前記蓋体の閉止状態を固定する固定手段をさらに備えることを特徴とする請求項１又は２に記載の収納具。
【考案の詳細な説明】
【技術分野】
【０００１】
本考案は、皮革や樹脂などから構成される財布やカード入れ、鍵・粒ガム・錠剤等の小物入れ、筆記用具入れなどに利用可能な収納具に関する。
【背景技術】
【０００２】
従来より、財布や小物入れなどの収納具にあっては、複数の部品を縫合して袋状に形成する形態を基本構成とし、これに蓋を取付けたり、ファスナーをつけたりする他、収納のポケットを取付けたりなどの装飾を行って作製している。
【０００３】
ところで、この袋状を基本構成とした従来の収納具では、小銭等の細かい物を中から取り出すとき、小銭などが重なり合ってしまい見えにくく、また、取り出しにくいという問題があった。これに対し、上蓋を有する箱状の収納を折り畳み可能に形成し、中の物を取り出すときには、上蓋を開くようにして展開させる折り畳み小銭入れが考案されている（例えば、特許文献１参照。）。
【先行技術文献】
【特許文献】
【０００４】
【特許文献１】特開２０００−２１７６２０号公報
【考案の概要】
【考案が解決しようとする課題】
【０００５】
しかしながら、上記箱状の収納を展開して開く構成では、箱状にするために皮革等の部材を縫製する必要があり、製造コストが掛かる惧れがあった。また、この折り畳み小銭入れでは、箱状の収納を潰すように折り畳んで、それを上蓋で塞ぐ構成であることから、内部に収納した物が、潰された箱状からこぼれる惧れがあり、それを防ぐための構成を追加する必要があり、部品点数が増大したり構成がさらに複雑になったりして、製造工数が増えて製造コストが嵩む可能性がある。
【０００６】
そこで、本考案は、上記のような問題を解決するものであり、財布や小物入れなどの収納具において、内部に収納した物を見やすく且つ取り出しやすくするとともに、部品点数や製造工数を低減して、安価に作製できる収納具を提供することを目的とする。
【課題を解決するための手段】
【０００７】
上記課題を解決するために、本考案は、シート状の基材を折り曲げて形成される収納具であって、基材は、折り曲げられて対向させられる一対の本体部分と、一対の本体部分の両側に形成され、本体部分の側辺同士をそれぞれ連結し、アコーディオン状に折り畳まれる略扇状の横マチ部と、一対の本体部分のいずれか一方に延設され、一対の本体部分が折り曲げられた状態において、他方の本体部分に被される蓋体とを有する。
【０００８】
このような本考案によれば、折り曲げられて対向させられる一対の本体部分を、両側辺においてアコーディオン状に折り畳まれるマチ部で塞ぐことで袋状を形成していることから、収納された小物類がこぼれることがない。また、元々基材は一枚のシート状の部材で形成されていることから、蓋体を開いて、アコーディオン状の横マチ部や、折り曲げられた一対の本体部分を展開させることで、平面状になり、内部の物が見やすくなり取り出しやすくなる。さらに、本考案では、１枚のシート状の機材を折り曲げて形成できることから、部品点数を最少にできるとともに、縫製等の工程を不要にできることから、安価に作製できる。
【０００９】
上記考案において、一対の本体部の折曲部分の両側に位置され、横マチ部における扇形状の頂点部分と、対向配置される本体部分それぞれの側辺とが交わる箇所に、基材に開けられた一対の開口部をさらに有することが好ましい。この場合には、基材の折曲線が集中する本体部の両側に開口を形成することにより、この部分が厚くなりすぎて基材が不必要に展開しやすくなるのを回避することができる。
【００１０】
上記考案において、蓋体の閉止状態を固定する固定手段をさらに備えることが好ましい。この場合には、折り畳んで袋状にした本体部を蓋体で覆った状態を固定することができ、より安定した収納を実現することができる。
【考案の効果】
【００１１】
以上述べたように、この考案によれば、財布や小物入れなどの収納具について、基材を一枚のシート状の部材で形成することから、折り曲げられた本体部分を展開させることで、平面状となり、内部の物が見やすくなり取り出しやすくなるとともに、部品点数を最少にでき、縫製等の工程を不要にできることから、安価に作製できる。
【図面の簡単な説明】
【００１２】
【図１】実施形態に係る収納具の閉止状態を示す斜視図である。
【図２】実施形態に係る収納具の開放状態を示す上面図である。
【図３】実施形態に係る収納具の開放状態を示す斜視図である。
【図４】実施形態に係る収納具の展開図である。
【考案を実施するための形態】
【００１３】
以下に添付図面を参照して、本考案に係る収納具の実施形態を詳細に説明する。図１は、本実施形態に係る収納具の閉止状態を示す斜視図であり、図２は、本実施形態に係る収納具の開放状態を示す上面図であり、図３は、本実施形態に係る収納具の開放状態を示す斜視図である。また、図４は、本実施形態に係る収納具の展開図である。なお、以下の説明において、山折り及び谷折りとは、図４の展開図からの方向から見た折り方を示している。
【００１４】
本実施形態において、収納具１は、財布やカード入れ、鍵・粒ガム・錠剤・アクセサリー等の小物入れ、筆記用具入れなどに利用可能な収納具であって、折り曲げられて袋状に形成されるシート状の基材１０と、袋状となった基材１０の閉止状態を固定する固定ベルト２とから構成される。
【００１５】
基材１０は、一枚のシート部材で構成される。この基材１０の素材としては、天然皮革が用いられる。天然皮革とは、動物の皮膚を剥ぎ、皮膚の毛を除去した上で鞣（なめ）したものである。天然皮革の特徴は、鞣しにより適度な柔軟性や伸縮性と強度や耐性を備えるとともに、折返しなどの癖つけを行うことで形態安定性を有する。また、天然皮革の色や風合いの経年変化など意匠性も高く、また、独特の香りを有する点も特徴である。なお、基材を構成する材料として、天然皮革以外でも、一枚の所定の形状に加工された人工皮革、布、硬質の紙又は合成樹脂等からなる薄厚のシート材料によって構成することも可能である。
【００１６】
このような基材１０は、図２及び図３に示すように、小物、硬貨の内容物等を収納する上部開口された空間１０ａを形成させる本体部１２及び一対の横マチ部１３，１３と、形成された上部開口を塞ぐ蓋体１１とから構成される。
【００１７】
基材１０は、図４に示すようにシート部材を展開した状態において、略中央に本体部１２が形成され、本体部１２の両側に一対の横マチ部１３，１３が延設される。また、本体部１２の下方には蓋体１１が延設される。これら本体部１２、横マチ部１３，１３、及び蓋体１１は一体形成され、帯状に連なっている。
【００１８】
本体部１２は、略中央に配置される底部１２ｃと、底部１２ｃを挟んで上下に延設される一対の本体部分１２ａ，１２ｂとを備える。底部１２ｃと一方の本体部分１２ａとの境目には折曲線１５ａが形成され、底部１２ｃと他方の本体部分１２ｂとの境目には折曲線１５ｂが形成されている。折曲線１５ａ及び折曲線１５ｂは、それぞれ谷折りとなるような折り癖がつけれれており、折曲線１５ａ及び折曲線１５ｂに沿って折り曲げられることで一対の本体部分１２ａ，１２ｂは対向させられる。
【００１９】
蓋体１１は、本体部分１２ａに延設される。具体的に、蓋体１１は、本体部分１２ａの底部１２ｃが延設された側と反対側に延設されている。この蓋体１１と本体部分１２ａの境目には折曲線１６が形成されている。折曲線１６は、谷折りとなるような折り癖がつけれれており、折曲線１６に沿って折り曲げ可能となっている。そして、一対の本体部分１２ａ，１２ｂが折り曲げられた状態において、折曲線１６に沿って蓋体１１を折り曲げることで、蓋体１１は他方の本体部分１２ｂに被される。
【００２０】
横マチ部１３，１３は、一対の本体部分１２ａ，１２ｂの両側に形成されている。具体的に、横マチ部１３と一対の本体部分１２ａ，１２ｂとは、折曲線１７を境目にして延設されている。折曲線１７は、谷折りとなるような折り癖がつけられており、折曲線１７に沿って横マチ部１３，１３が折り曲げられることで、一対の横マチ部１３，１３は対向させられる。
【００２１】
各横マチ部１３は、略扇状をなしており、一対の本体部分１２ａ，１２ｂの側辺部分に亘って延設され、本体部分１２ａ，１２ｂの側辺同士をそれぞれ連結している。この横マチ部１３，１３は、複数の折曲線が形成されており、この各折曲線に沿って折り曲げられることで、図２及び図３に示すように、アコーディオン状に折り畳まれる。
【００２２】
具体的に、各横マチ部１３，１３には、扇形状の頂点部分１３ｃを通過し、横マチ部１３を等分する中心線ＣＬ上に形成される折曲線１３ｂと、折曲線１３ｂに対して線対称に形成される一対の折曲線１３ａ，１３ａとの３つの折曲線が形成される。一対の折曲線１３ａ，１３ａも頂点部分１３ｃを通過するようになっており、３つの折曲線１３ａ，１３ａ，及び１３ｂは放射状に形成される。
【００２３】
本実施形態において、折曲線１３ｂは、谷折りとなるように折り癖がつけられ、一対の折曲線１３ａ，１３ａは山折りになるように折り癖がつけられている。このような構成により、一対の本体部分１２ａ，１２ｂを向いあうように折り曲げた際、折曲線１３ｂに沿って谷折りするとともに、一対の折曲線１３ａ，１３ａに沿って山折りすることで、山折り及び谷折りが相互に繰り返され、各横マチ部１３はアコーディオン状に形成される。
【００２４】
また、基材１０には、基材１０に開けられた一対の開口部１４，１４が形成される。一対の開口部１４，１４は、一対の本体部分１２ａ，１２ｂの折曲部分である底部１２ｃの両側に位置され、横マチ部１３における扇形状の頂点部分１３ｃと、対向配置される本体部分１２ａ，１２ｂそれぞれの側辺とが交わる箇所に形成される。
【００２５】
固定ベルト２は、蓋体１１の閉止状態を固定する手段であって、例えば、布にゴム等の弾性体を織り込んだ織りゴムなどを用いることができる。この固定ベルト２は、蓋体１１における両側に縫着等されて基材１０に固定され、蓋体１１の内面に沿って配置されている。
【００２６】
このような構成を有する収納具１の折り畳み動作について説明する。先ず、一対の横マチ部１３，１３を折曲線１７に沿って谷折りし、その後、一対の本体部分１２ａ，１２ｂを折曲線１５ａ，１５ｂに沿って谷折りする。この際、各横マチ部１３の折曲線１３ｂは、谷折りとなるように折り癖がつけられ、一対の折曲線１３ａ，１３ａは山折りになるように折り癖がつけられているので、一対の折曲線１３ａ，１３ａが内側に向けて凸状となるように折り曲がり、折曲線１３ｂが外側に向けて凸状となるように折り曲がる。
【００２７】
これにより、図２及び図３に示すように、本体部分１２ｂが前面、本体部分１２ａが背面、底部１２ｃが底面、一対の横マチ部１３，１３が側面となり、上部開口された空間１０ａが形成される。その後、折曲線１６に沿って蓋体１１を谷折りに折り曲げることで、蓋体１１は他方の本体部分１２ｂに被されて、収納具１は閉止される。
【００２８】
蓋体１１が他方の本体部分１２ｂに被されるように折り畳まれた状態で、固定ベルト２と蓋体１１との間に、折り畳まれた一対の本体部分１２ａ，１２ｂを挿通させることで、図１に示すように、袋状に形成された収納具１を固定する。
【００２９】
（作用・効果）
このような本実施形態によれば、折り曲げられて対向させられる一対の本体部分１２ａ，１２ｂを、両側辺においてアコーディオン状に折り畳まれる横マチ部１３，１３で塞ぐことで袋状を形成していることから、収納された小物類がこぼれることがない。また、元々基材１０は一枚のシート状の部材で形成されていることから、蓋体１１を開いて、アコーディオン状の横マチ部１３や、折り曲げられた一対の本体部分１２ａ，１２ｂを展開させることで、平面状になり、内部の物が見やすくなり取り出しやすくなる。さらに、本実施形態では、１枚のシート状の基材１０を折り曲げて形成できることから、部品点数を最少にできるとともに、縫製等の工程を不要にできることから、安価に作製できる。
【００３０】
また、本実施形態では、一対の本体部分１２ａ，１２ｂの折曲部分である折曲線１５ａ，１５ｂの両側に位置され、横マチ部１３，１３における扇形状の頂点部分１３ｃと、対向配置される本体部分１２ａ，１２ｂそれぞれの側辺とが交わる箇所に、基材１０に開けられた一対の開口部１４，１４を備えている。このように、基材１０の折曲線が集中する本体部１２の両側に開口部１４，１４を形成することにより、この部分が厚くなりすぎて基材が不必要に展開しやすくなるのを回避することができる。
【００３１】
また、本実施形態において、蓋体１１の閉止状態を固定する固定ベルト２を有しているので、折り畳んで袋状にした本体部１２を蓋体１１で覆った状態を固定することができ、より安定した収納を実現することができる。
【００３２】
なお、本考案は、上述した本実施形態に限定されるものではなく、要旨を逸脱しない範囲で構成要素を変形可能である。例えば、本体部１２及び横マチ部１３の大きさ及び形状等は、収納する内容物に応じて変更可能である。例えば、硬貨などの内容物を入れる場合に、底部１２ｃの奥行きは広く設定し、本体部分１２ａ，１２ｂの横幅を狭く設定する。一方、名刺などのカードを内容物とする場合には、底部１２ｃの奥行きは狭く設定し、本体部分１２ａ，１２ｂの横幅を広く設定するなど種々変更可能である。
【００３３】
なお、横マチ部１３の折曲線１３ａ，１３ａは、内側に向けて凸状に折り曲がっているので、その凸状部分が内部空間１０ａを仕切る仕切部としても機能する。そのため、カードを収納する場合、本体部分１２ｂと手前側の凸状部分との間や、本体部分１２ａと奥側の凸状部分との間にカードを差し込むことでカードを区分けすることもできる。
【符号の説明】
【００３４】
ＣＬ…中心線
１…収納具
２…固定ベルト
１０…基材
１０ａ…空間
１１…蓋体
１２…本体部
１２ａ，１２ｂ…本体部分
１２ｃ…底部
１３，１３…横マチ部
１３ａ，１３ｂ…折曲線
１３ｃ…頂点部分
１４，１４…開口部
１５ａ，１５ｂ…折曲線
１６，１７…折曲線
【図１】
0003196256.tif 000003
【図２】
0003196256.tif 000004
【図３】
0003196256.tif 000005
【図４】
0003196256.tif 000006